(57)【要約】  本発明は、日常的な場合椅子の背もたれカバーとして使用することができ、緊急時には救命胴衣に可変できるカバーに関するものである。より具体的には、本発明は、椅子の背もたれを覆う背もたれカバーにおいて、前記椅子の背もたれ後面を覆う後面部；前記椅子の背もたれの上部に掛かるように備えられ、前記前面部と前記後面部を相互に連結する連結部；及び前記前面部、後面部と連結部のうち少なくとも一つに備えられる浮力体を含む救命胴衣に可変される椅子の背もたれカバーに関するものである。【選択図】図１
2020536720.tif 000002
【特許請求の範囲】
【請求項１】
椅子の背もたれを覆う背もたれカバーにおいて、
前記椅子の背もたれの前面を覆う前面部；
前記椅子の背もたれ後面を覆う後面部；
前記椅子の背もたれの上部に掛かるように備えられ、前記前面部と前記後面部を相互に連結する連結部；及び
前記前面部、後面部と連結部のうち少なくとも一つに備えられる浮力体；
を含む救命胴衣に可変される椅子の背もたれカバー。
【請求項２】
前記前面部と後面部を互いに固定する締結バンドをさらに含む、請求項１に記載の救命胴衣に可変される椅子の背もたれカバー。
【請求項３】
前記締結バンドは、
一端が前記後面部の下端に締結され、他端が前記前面部の側面に締結される第１締結バンドを含む、請求項２に記載の救命胴衣に可変される椅子の背もたれカバー。
【請求項４】
前記締結バンドは、
一端が前記後面部の下端に締結され、「Ｙ」字型に分かれる二つの他端が前記前面部の下端の左右にそれぞれに締結される第２締結バンドを含む、請求項２に記載の救命胴衣に可変される椅子の背もたれカバー。
【発明の詳細な説明】
【技術分野】
【０００１】
本発明は、救命胴衣に可変できる椅子の背もたれカバーに関するものであり、一方では椅子カバーとして活用されることができ、他方では救命胴衣として使用できる救命胴衣に可変される椅子の背もたれカバーに関するものである。
【背景技術】
【０００２】
昨今では、海上船舶などの大事故が起こり得るところで救命用品を一定の人員に比例するように備えなければならない政府の規制が強化されている。しかし、このような規制に従うことには、船舶の限られた面積と収容規模において問題が台頭している。これを解決するために、簡略化されたり、小型化または可変される救命用品が開発されてきたが、このように小型化または可変される救命用品も限られた船舶の面積に適用されるのが難しいという問題点と、このように開発された救命用品は小型化または簡素化されるほど、本来の機能を発揮できず、人命救済という目的を達成するのが難しいという問題点があった。
【０００３】
米国登録特許第５，３３５，８８２号は、救命胴衣に可変される飛行機の椅子用シートクッションに関するものであり、椅子の底板に備えられるクッションが救命胴衣に可変され、ユーザーが簡単に位置を把握することができ、別の移動なしに救命胴衣を迅速に着用できる特徴を持つが、既存の椅子に適用できず、既存の椅子全体を交換してこそ救命胴衣を備えることができるという欠点があった。
【０００４】
また他方では、上記米国登録特許の場合、浮力材を椅子のクッションとして使用し、首と腕の部分が入る部分を着用前に解体しなければならいため着用に不便がある。
【０００５】
これにより、既存の飛行機や船舶に設置されている椅子にそのまま適用できながら、救命胴衣としての使用時に誰でも簡単に、直感的に着用できる救命胴衣の研究が必要とされているのが実情である。
【発明の概要】
【発明が解決しようとする課題】
【０００６】
本発明は、前述した問題やその他の問題を解決することを目的とする。また、別の目的は、従来の飛行機や船舶に既設置されている椅子に適用され、日常的に使用する際には椅子の背もたれカバーとして活用されることができ、緊急時には救命胴衣に可変されることができる救命胴衣に可変可能な椅子の背もたれカバーを提供することである。
【０００７】
本発明で達成しようとする技術的課題は、以上で言及した技術的課題に限定されず、言及していない別の技術的課題は、下の記載から本発明の属する技術分野で通常の知識を有する者には明確に理解されるであろう。
【課題を解決するための手段】
【０００８】
上記または別の目的を達成するために、本発明の一側面によると、椅子の背もたれを覆う背もたれカバーにおいて、前記椅子の背もたれの前面を覆う前面部；前記椅子の背もたれ後面を覆う後面部；前記椅子の背もたれの上部に掛かるように備えられ、前記前面部と前記後面部を相互に連結する連結部；及び前記前面部、後面部と連結部のうち少なくとも一つに備えられる浮力体を含む救命胴衣に可変される椅子の背もたれカバーを提供する。
【発明の効果】
【０００９】
本発明に係る椅子の背もたれカバーの効果について説明すると次の通りである。
【００１０】
本発明の実施形態のうち少なくとも一つによれば、従来椅子が既設置されている航空機や船舶にも簡便に適用できるという利点がある。
【００１１】
また、本発明の実施形態のうち少なくとも一つによれば、日常的に使用する際にはクッション感が得られる椅子の背もたれカバーとして使用され、緊急時には簡単に救命胴衣に可変できるという利点がある。
【００１２】
本発明の適用範囲は以下の発明の詳細な説明から明らかになるであろう。しかし、以下の発明の詳細な説明及び特定の実施形態は単に例示にすぎず、当業者であれば本発明の思想や範囲内で様々な変更及び修正が可能であることを理解できるであろう。
【図面の簡単な説明】
【００１３】
【図１】本発明の一実施形態に係る椅子の背もたれカバー（１００、以下背もたれカバー）を広げた状態を示す図である。
【図２】本発明の一実施形態に係る背もたれカバー（１００）の斜視図を示す図である。
【図３】本発明の一実施形態に係る背もたれカバー（１００）の後面斜視図を示す図である。
【図４】本発明の一実施形態に係る背もたれカバー（１００）の前面図（ａ）及び後面図（ｂ）を示す図である。
【図５】本発明の一実施形態に係る背もたれカバー（１００）の側面図を示す図である。
【図６】本発明の一実施形態に係る背もたれカバー（１００）の平面図を示す図である。
【図７】本発明の一実施形態に係る背もたれカバー（１００）の救命胴衣面を広げた状態を示す図である。
【図８】本発明の一実施形態に係る救命胴衣面背もたれカバー（１００）の斜視図を示す図である。
【図９】本発明の一実施形態に係る救命胴衣面背もたれカバー（１００）の後面斜視図を示す図である。
【図１０】本発明の一実施形態に係る救命胴衣面背もたれカバー（１００）の前面図（ａ）及び後面図（ｂ）を示す図である。
【図１１】本発明の一実施形態に係る救命胴衣面背もたれカバー（１００）の側面図を示す図である。
【図１２】本発明の一実施形態に係る救命胴衣面背もたれカバー（１００）の平面図を示す図である。
【図１３】本発明の一実施形態に係る椅子の背もたれカバー（１００）を椅子に締結させた状態図を示している。
【発明を実施するための形態】
【００１４】
以下、添付図面を参照して本発明の実施形態を詳細に説明するが、図面符号に関係なく同一または類似の構成要素には同一の符号を付して重複する説明は省略する。以下の説明で用いられる構成要素の接尾辞である「モジュール」及び「部」は、明細書の作成を容易にするために付与または混用されるものであり、それ自体が有意性や有用性を有するものではない。また、本発明の実施形態を説明するにあたって、関連する公知技術についての具体的な説明が本発明の要旨を不明にすると判断される場合は、その詳細な説明を省略する。なお、添付図面は本発明の実施形態を容易に理解できるようにするためのものにすぎず、添付図面により本発明の技術的思想が制限されるものではなく、本発明は本発明の思想及び技術範囲に含まれる全ての変更、均等物乃至代替物を含むものと理解されるべきである。
【００１５】
第１、第２などのように序数を含む用語は様々な構成要素を説明するために使用されるが、前記構成要素は前記用語により限定されるものではない。前記用語は１つの構成要素を他の構成要素と区別する目的でのみ使用される。
【００１６】
ある構成要素が他の構成要素に「連結」または「接続」されていると言及された場合は、前記他の構成要素に直接的に連結または接続されていることもあり、中間にさらに他の構成要素が存在することもあると理解すべきである。それに対して、ある構成要素が他の構成要素に「直接連結」または「直接接続」されていると言及された場合は、中間にさらに他の構成要素が存在しないと理解すべきである。
【００１７】
本明細書で使用される単数の表現は、特に断らない限り、複数の表現を含む。
【００１８】
本明細書において、「含む」や「有する」などの用語は、明細書に記載された特徴、数字、段階、動作、構成要素、部品またはそれらの組み合わせが存在することを指定しようとするもので、１つまたはそれ以上の他の特徴、数字、段階、動作、構成要素、部品またはそれらの組み合わせの存在や付加可能性を予め排除するものではないと理解すべきである。
【００１９】
本発明では、日常的な使用の際には飛行機や船舶に既設置されている椅子の背もたれを覆うことができるカバーとして使用され、緊急時にはユーザーが簡単に身に着けることができる救命胴衣として活用できるカバーに対して提案する。これらの実施形態について、以下図面を参照して具体的に説明する。
【００２０】
図１は、本発明の一実施形態に係る椅子の背もたれカバー（１００、以下背もたれカバー）を広げた状態を示す図である。図２は、本発明の一実施形態に係る背もたれカバー（１００）の斜視図を示す図である。図３は、本発明の一実施形態に係る背もたれカバー（１００）の後面斜視図を示す図である。図４は、本発明の一実施形態に係る背もたれカバー（１００）の前面図（ａ）及び後面図（ｂ）を示す図である。図５は、本発明の一実施形態に係る背もたれカバー（１００）の側面図を示す図である。図５の側面図は右側面図であるが、左側面図は右側面図と左右対称なだけで同じなので省略する。図６は、本発明の一実施形態に係る背もたれカバー（１００）の平面図を示す図である。
【００２１】
本発明の一実施形態に係る椅子の背もたれを覆う背もたれカバー（１００）は、前記椅子の背もたれの前面を覆う前面部（１０１）、前記椅子の背もたれ後面を覆う後面部（１０３）、前記椅子の背もたれの上部に掛かるように備えられ、前記前面部と前記後面部を相互に連結する連結部（１０２）、及び前記前面部（１０１）、後面部（１０３）と連結部（１０２）のうち少なくとも一つに備えられる浮力体（１１０）を含むことができる。
【００２２】
この時、前記浮力体（１１０）は固体形態の浮力体であってもよい。固体形態の浮力体は、ポリエチレン（ＰＥ）またはＰＶＣ、ＮＢＲ（Ｎｉｔｒｉｌｅ−ｂｕｔａｄｉｅｎｅ  ｒｕｂｂｅｒ）、ＥＶＡなどの合成樹脂を発泡成形させて形成されたフォームなどの発泡性樹脂を板状に加工して備えることができる。
【００２３】
ＮＢＲ（Ｎｉｔｒｉｌｅ−ｂｕｔａｄｉｅｎｅ  ｒｕｂｂｅｒ）はアクリロニトリルとブタジエンを低温乳化重合法で作られた合成ゴム製品であり、ＮＢＲは耐油性に優れて燃料ホース、靴底、自動車部品などに使用され、ＰＶＣとの相溶性に優れてＰＶＣ改質剤としても使用することができる材質である。
【００２４】
以下では、図１〜図６を一緒に参照して説明する。
【００２５】
図１を参照すると、本発明の一実施形態に係る背もたれカバー（１００）は、前面部（１０１）、連結部（１０２）と後面部（１０３）が区別されず、一体に形成される四角板状に備えられることができる。図１では、このような四角板状が広げられた状態で示されているが、連結部（１０２）の部分が椅子の背もたれの上端に掛けられると、自然に連結部（１０２）の部分が曲がり、前面部（１０１）は椅子の背もたれの前面を覆い、後面部（１０３）は椅子の背もたれの後面を覆うことができる（図１３参照）。
【００２６】
この時、四角板状に限定されず、椅子の背もたれの前面または後面を覆うことができる形状であればどのような形状でも可能である。特に、デザイン上または使いやすさのために四角板状の角がラウンド処理されることは明らかである。
【００２７】
また、図１で確認できるように、前記前面部（１０１）、後面部（１０３）と連結部（１０２）のうち少なくとも一つに備えられる浮力体（１１０−１〜１１０−１０）を備えることができる。
【００２８】
このような浮力体（１１０−１〜１１０−１０）は、救命胴衣に可変する時に浮力を提供することもできるけど、背もたれとして活用される時にクッションとして機能して椅子に座る人の着席感を向上させることもできる。
【００２９】
この場合には、前面部（１０１）に備えられる前面浮力体（１１０−１、１１０−２）が後面部（１０３）に備えられる後面浮力体（第９浮力体、１１０−９）よりも多くの面積（より多くの体積）に備えられることができる。救命胴衣を着用した状態で、着用者の前面浮力がより高くてこそ、着用者が意識不明である場合にも、自然に呼吸気が水面に誘導され、快適に横になった状態で水に浮くなど、安全性を確保することができるからである。つまり、前面浮力体（１１０−１、１１０−２）が後面浮力体（１１０−９）よりも多くの浮力を持つように備えられることができる。
【００３０】
また、図１に示すように、上記浮力体は前記前面部（１０１）に備えられる時左右に区分されるように備えられることができる。一般的に、救命胴衣は、これを着用した人が水から簡単に抜け出せるように設計されるべきである。そのため、救命胴衣から水が速く排出されてこそ、人を引き上げる時より少ない力で可能になる。このため、本発明では、前面部（１０１）に備えられる前面浮力体（１１０−１、１１０−２）が左側に備えられる第１浮力体（１１０−１）と右側に備えられる第２浮力体（１１０−２）に区分され、第１及び第２浮力体（１１０−１、１１０−２）の間に水を排出できるの排水路（１１２）を形成することを提案する。
【００３１】
排水路（１１２）に沿って水が簡単に抜けていくと、水に溺れている人を陸地や船舶に引き上げる時より少ない力で行うことができる。
【００３２】
また、複数の浮力体（１１０−１〜１１０−１０）は、曲がらなければならない位置に応じて分けられることができる。例えば、前記前面部（１０１）と連結部（１０２）の第１境界（１２０−１）は、椅子の背もたれの上端によって曲がらなければならない位置である。同様に、後面部（１０３）と連結部（１０２）の第２境界（１２０−２）も椅子の背もたれの上端によって曲がらなければならない位置である。
【００３３】
第１境界（１２０−１）でよく曲がるように、第１浮力体（１１０−１）と第４浮力体（１１０−４）は互いに分けられるように備えられ、同様に第２浮力体（１１０−２）と第５浮力体（１１０−５）は互いに分けられるように備えられる。
【００３４】
第２境界（１２０−２）でよく曲がるように、第６浮力体（１１０−６）と後面浮力体（第９浮力体、１１０−９）の間、第７浮力体（１１０−７）と後面浮力体（第９浮力体、１１０−９）の間及び第８浮力体（１１０−８）と後面浮力体（第９浮力体、１１０−９）の間は分けられるように備えられる。
【００３５】
また、後述するが、切開線（１３０）によって第３浮力体（１１０−３）と前面浮力体（１１０−１、１１０−２）の間、第４及び第１０浮力体（１１０−４、１１０−１０）の間、第５及び第１０浮力体（１１０−５、１１０−１０）の間、第６及び第７浮力体（１１０−６、１１０−７）の間、第８及び第７浮力体（１１０−８、１１０−７）の間が分けられることができる。
【００３６】
本発明の一実施形態に係る背もたれカバー（１００）は、救命胴衣として活用される時に着用者の頭部を通過させるための首穴を形成するように切開線（１３０）（例えば、「Ｕ」字型）を備えることができる。図１に示すように、切開線（１３０）によって開放される穴を介して着用者が頭を通過させ首に着用させることができる。
【００３７】
本発明の一実施形態に係る首穴を形成するための切開線（１３０）は、一側は残し、残りが切開される形状を提案する。なぜなら、切開されていない部分が固定されて切開された部分を固定し、切開された部分を利用して着用者の首の後ろ部分を支えるためである。このように切開される場合、切開されず固定される領域によって切開されて開放される部分が背もたれカバー（１００）にぶら下がる形で固定されることができる。
【００３８】
本発明の説明のためにこのように開放される部分を首受け部（１４０）と称する。本発明の一実施形態では、着用者が救命胴衣を着用する時、このような首受け部（１４０）自体の浮力を利用して着用者の頭や首を支えることができるように提案するものである。これにより、着用者は水に浮かんでいる時に楽な姿勢をとり、長く生き残ることが可能になる。このため、切開されていない部分は着用者の首の後ろ部分であることができる。
【００３９】
本発明の一実施形態による首受け部（１４０）は、図示されたように、複数の浮力体（１１０−３、１１０−１０、１１０−７）に分けられることができる。このように複数に分けられた浮力体（１１０−３、１１０−１０、１１０−７）は、上記のように開放された時に曲がりやすいので、曲がった状態で着用者の首を快適に支えることができる。このため、前記複数に分けられた浮力体（１１０−３、１１０−１０、１１０−７）は、水平方向に区分されるように分けられることができる。
【００４０】
さらに、本発明の他の実施形態では、首受け部（１４０）はくるくる巻かれる形でも提供することができる。このようにくるくる巻かれる形で提供するために、前記浮力体（１１０−３、１１０−１０、１１０−７）はより多くの数の部分に区分されるように備えられることもあるだろう。
【００４１】
一方、本発明の一実施形態では、前記首受け部（１４０）に取っ手（１１１）をさらに備えるように提案する。このような取っ手（１１１）は、緊急時に使用しようとする人がこの取っ手（１１１）を持って上方向に引っ張る場合、本背もたれカバー（１００）が椅子の背もたれから簡単に剥がれるようにするためである。
【００４２】
また、椅子の背もたれに効果的に固定されるため、本発明の一実施形態では、図２及び図３に示すように、前面部（１０１）と後面部（１０３）を互いに固定させるための第１締結バンド（２０１−１）をさらに備えるように提案する。
【００４３】
上述したように、緊急事態ではなく、日常的な場合、本発明の背もたれカバー（１００）は椅子の背もたれカバーとして効果的に機能しなければならならない。そのため、単純に椅子の背もたれに掛けられた状態に維持されず、椅子の背もたれに効果的に固定されるべきである。このため、本発明の一実施形態では、前面部（１０１）と後面部（１０３）を互いに固定させるための第１締結バンド（２０１−１）が要求される。また、救命胴衣として活用される時にも同様に、着用者の身体に効果的に固定されるため、第１締結バンド（２０１−１）が求められる。
【００４４】
図示された図面のように、前記第１締結バンド（２０１−１）の一端は後面部（１０３）の下端に締結され、第１締結バンド（２０１−１）の他端は前面部（１０１）の側面に締結されることができる。なぜなら、上述したように、前面部（１０１）は、後面部（１０３）より相対的に長く形成することができるからである。特に、第１締結バンド（２０１−１）の前記一端は、後面部（１０３）の下端の縁から斜めに対角線方向に締結されることができる。なぜなら、椅子の背もたれの側面に沿って包み込む形で前記前面部（１０１）と連結されなければならないからである。この時、前記ラウンド処理された四角形状の角に前記第１締結バンド（２０１−１）の一端が連結されることができる。
【００４５】
また、本発明の一実施形態では、前記第１締結バンド（２０１−１）の中間にバックル（２０２）を備える。このようにバックル（２０２）が備えられ、着用者がバックル（２０２）の脱着を介して前面部（１０１）と後面部（１０３）を容易に分離することができる。例えば、救命胴衣の着用／解除時に楽にするためバックル（２０２）を介して前面部（１０１）と後面部（１０３）を分離することができる。
【００４６】
特に、前記第１締結バンド（２０１−１）は、前面部（１０１）の左側一端と右側一端にそれぞれ一つずつ備えられ、左右の両方を締結／固定させることができることは明らかである。
【００４７】
また、本発明の一実施形態では、図３に示すように、前面部（１０１）と後面部（１０３）を連結するための第２締結バンド（２０１−２）をさらに含むように提案する。このように締結される第２締結バンド（２０１−２）は、単純に椅子の背もたれに固定されるためでなく、救命胴衣として使用する時に着用者の身体に完璧に固定させるために必要とされる構成である。
【００４８】
前記第２締結バンド（２０１−２）の一端は、後面部（１０３）の下端に締結されることができ、前記第２締結バンド（２０１−２）は「Ｙ」の形の二またに分かれて、二またに分かれた二つの他端は、前面部（１０１）の下端の左右にそれぞれ締結されることができる。このように、二またに分かれる理由は、着用者の股ぐらから太ももの方向に包むように第２締結バンド（２０１−２）が包むためである。なぜなら、浮力によって救命胴衣が上方向に力を加えるが、着用者の股ぐらから真上に向かう力が加わると、不快感を与えることがあるからである。
【００４９】
上述した第１及び第２締結バンド（２０１−１、２０１−２）は、弾性力を有する材料で備えられることができる。
【００５０】
本発明の一実施形態では、椅子の背もたれカバーとして活用される面を裏返して救命胴衣として活用することを提案する。なぜなら、単純に背もたれカバーに活用する際と救命胴衣に活用する際に必要な構成が異なるからである。これにより、図１〜図６を参照して説明した構成は、椅子の背もたれカバーとして活用されることができる面（以下、背もたれ面）を説明したものであり、以下図７〜図１２を参照して、救命胴衣として活用されることができる面（以下、救命胴衣面）に対して説明する。
【００５１】
図７は、本発明の一実施形態に係る背もたれカバー（１００）の救命胴衣面を広げた状態を示す図である。図８は、本発明の一実施形態に係る救命胴衣面背もたれカバー（１００）の斜視図を示す図である。図９は、本発明の一実施形態に係る救命胴衣面背もたれカバー（１００）の後面斜視図を示す図である。図１０は、本発明の一実施形態に係る救命胴衣面背もたれカバー（１００）の前面図（ａ）及び後面図（ｂ）を示す図である。図１１は、本発明の一実施形態に係る救命胴衣面背もたれカバー（１００）の側面図を示す図である。図１１の側面図は右側面図であるが、左側面図は右側面図と左右対称なだけで同じなので省略する。図１２は、本発明の一実施形態に係る救命胴衣面背もたれカバー（１００）の平面図を示す図である。
【００５２】
以下の説明では、救命胴衣面が背もたれ面とは反対の面であるため、共通的な部分は省略する。救命胴衣面が背もたれ面と異なる構成についてのみ重点的に説明する。救命胴衣面の背もたれカバー（１００）は、以下の説明の便宜上救命胴衣（１００’）と称する。
【００５３】
救命胴衣（１００’）の面は、蛍光物質が塗布されたり蛍光色に備えられることができる。なぜなら、海などに漂流する時、救命胴衣（１００’）が目につきやすくするためである。
【００５４】
図７を参照すると救命胴衣（１００’）の前面部（１０１）、連結部（１０２）と後面部（１０３）のうち少なくとも一つに取っ手（８０１−１、８０１−２）を形成することができる。なぜなら、救命胴衣（１００’）を着用した人を水から引き上げるために、救命胴衣（１００’）面に取っ手を備える必要がある。このため、本発明では、取っ手（８０１−１、８０１−２）を備えるように提案する。
【００５５】
特に、本発明の一実施形態に係る救命胴衣（１００’）は、左右両側に取っ手（８０１−１、８０１−２）を備えるように提案する。これは、救命の効率と利便性のためである。つまり、両方の取っ手（８０１−１、８０１−２）を両手で持って引き上げる場合には、重い人でも簡単に引き上げ救助することができるからである。
【００５６】
特に、前記取っ手（８０１−１、８０１−２）は、前面部（１０１）、連結部（１０２）と後面部（１０３）全体に跨るように上下に長く形成することができる（図示された図面を参照）。なぜなら、漂流者の姿勢に応じて後から引き寄せることもでき、前から引き寄せることもできるからである。また、船舶の人が引き寄せる時に上部の取っ手を使用すると楽になるからである。
【００５７】
そのために取っ手（８０１−１、８０１−２）は、前面部（１０１）、連結部（１０２）と後面部（１０３）全体に跨るように上下に長く形成されることができ、特に、前面取っ手領域（１１０１−１）、上部取っ手領域（１１０１−２）と後面取っ手領域（１１０１−３）に分けられるよう備えられることもあり得る（図１１参照）。
【００５８】
また、救命胴衣（１００’）は、上述した切開線（１３０）によって首受け部（１４０）が開放されて首穴を形成する場合には、首受け部（１４０）がしっかりと固定されるように固定することができる第１及び第２固定部（７０１−１、７０１−２）を備えることができる。例えば、第１及び第２固定部（７０１−１、７０１−２）はベルクロ（登録商標）の材質で形成され、互いに接着されると、接着された状態で安定的に固定することができる。特に、第１及び第２固定部（７０１−１、７０１−２）が固定される時、首受け部（１４０）が曲がった状態で固定されることができるので、着用者の首をより安定的に支えることができ、長い時間漂流しても簡単に疲れないように利便性を向上することができる。
【００５９】
図１３は、本発明の一実施形態に係る椅子の背もたれカバー（１００）を椅子に締結させた状態図を示している。
【００６０】
図示されたように、背もたれカバー（１００）は、椅子の背もたれに安定的に着用され、浮力体自体のクッション効果によって椅子の着席感を向上させるだけでなく、危機的状況の際には、救命胴衣として使用され、乗客の安全を図ることができる。
【００６１】
以上、本発明に係る救命胴衣に可変可能な椅子の背もたれカバーの実施形態を説示したが、これは少なくとも一つの実施形態として説明したものであり、これによって本発明の技術的思想とその構成及び作用が制限されるものではなく、本発明の技術的思想の範囲が図面または図面を参照した説明によって限定／制限されるものではない。また、本発明で開示された発明の概念と実施形態は、本発明の同一目的を遂行するため、異なる構造に修正または設計するための基礎として、本発明の属する技術分野で通常の知識を有する者によって使用されるであろう。本発明の属する技術分野で通常の知識を有する者による修正または変更された等価構造は特許請求範囲に記述された本発明の技術的範囲内であり、特許請求範囲に記載した本発明の思想や範囲を逸脱しない範囲内で様々な変更、置換、及び変更が可能である。
【図１】
2020536720.tif 000003
【図２】
2020536720.tif 000004
【図３】
2020536720.tif 000005
【図４（ａ）】
2020536720.tif 000006
【図４（ｂ）】
2020536720.tif 000007
【図５】
2020536720.tif 000008
【図６】
2020536720.tif 000009
【図７】
2020536720.tif 000010
【図８】
2020536720.tif 000011
【図９】
2020536720.tif 000012
【図１０（ａ）】
2020536720.tif 000013
【図１０（ｂ）】
2020536720.tif 000014
【図１１】
2020536720.tif 000015
【図１２】
2020536720.tif 000016
【図１３】
2020536720.tif 000017
【国際調査報告】
2020536720.tif 000018
2020536720.tif 000019
2020536720.tif 000020
2020536720.tif 000021